(57)【要約】【課題】小型でかつ縦型の貨幣入出金機を構成する。【解決手段】硬貨部２と紙幣部３とを左右横並び配置で一体構造として構成する。硬貨部２は、硬貨搬送部１０の背部に硬貨チューブおよびオーバーフロー庫を背部方向に列置させた硬貨収納部２０を配置し、この硬貨収納部２０の上方および下方にそれぞれ硬貨振分部３０および硬貨出金部４０を配置して、起立状態で投入された硬貨を硬貨部２の上下・奥行方向に搬送して収納し、払い出す構成とする。紙幣部３は、長手方向に投入された紙幣を、紙幣部３の上下・奥行方向に搬送して収納し、払い出す構成とする。これにより、硬貨部２および紙幣部３を縦型に構成して、小型で縦型の貨幣入出金機を構成することができる。【選択図】        図１
2004252808.tif 000002
【特許請求の範囲】
【請求項１】
硬貨の入出金処理を行なう硬貨部を有する貨幣入出金機において、
前方位置の硬貨投入口に投入された硬貨を起立状態で搬送する硬貨搬送部と、
前記硬貨搬送部を搬送される硬貨の金種を判別する硬貨検銭部と、
硬貨を金種別に収納する硬貨チューブが背部方向に列置された硬貨収納部と、
前記硬貨搬送部の下流で前記硬貨収納部の上方に配置され、硬貨を背部方向へ起立状態で搬送し前記硬貨検銭部での判別結果に基づいてその硬貨をいずれかの前記硬貨チューブに振り分ける硬貨振分部と、
前記硬貨収納部の下方に配置されて、前記硬貨チューブに収納されている硬貨を前方位置の硬貨払出口へ搬送して出金する硬貨出金部と、
を有する硬貨部を有することを特徴とする貨幣入出金機。
【請求項２】
前記硬貨収納部は、前記硬貨部本体に対して脱着自在に構成されて前記硬貨チューブの硬貨受入口側をスライドして開閉する上蓋を有し、前記硬貨収納部を前記硬貨部本体に装着する際には、閉状態の前記上蓋が前記硬貨部本体に衝突して前記硬貨部本体の外側へスライドし、前記上蓋が開くようにしたことを特徴とする請求項１記載の貨幣入出金機。
【請求項３】
前記硬貨収納部は、閉状態の前記上蓋を係止して前記上蓋のスライドを防止する係止部材を有し、前記係止部材による係止が解除されたときにのみ前記硬貨収納部を前記硬貨部本体に装着することができるようにしたことを特徴とする請求項２記載の貨幣入出金機。
【請求項４】
紙幣投入口に投入された紙幣を搬送する紙幣搬送部と、
前記紙幣搬送部を搬送される紙幣の金種を判別する紙幣検銭部と、
紙幣を金種別に収納するスタッカを備えた紙幣収納部と、
前記紙幣搬送部を搬送される紙幣がいずれかの前記スタッカに搬送されるよう前記紙幣検銭部での判別結果に基づいて搬送路を切り替える切替えゲートと、
前記スタッカのうち一のスタッカから収納されている紙幣を繰り出す紙幣繰出部と、
繰り出された紙幣を紙幣払出口へ搬送して出金する紙幣出金部と、
を有する紙幣部を有することを特徴とする請求項１記載の貨幣入出金機。
【発明の詳細な説明】
【０００１】
【発明の属する技術分野】
本発明は硬貨や紙幣の入出金処理を行なう貨幣入出金機に関し、特にガソリンスタンドに設置された給油機に内蔵可能な貨幣入出金機に関する。
【０００２】
【従来の技術】
ガソリンスタンドや店舗の会計場などには、ＰＯＳ（販売時点情報管理システム）用レジスタに接続されて硬貨や紙幣の受入れと釣銭などの払出しを行なう貨幣入出金機が設置されている。従来、このような貨幣入出金機としては、例えば、紙幣の入出金処理を行なう紙幣処理部と硬貨の入出金処理を行なう硬貨処理部とを積み重ねて配置し２層構造としたものや、それらを横並びで配置したものなどが提案されている（特許文献１，２参照）。このような配置とすることにより貨幣入出金機の薄型化が図られ、小型で横型の貨幣入出金機が構成されている。
【０００３】
ところで、近年、ガソリンスタンドは、来店した客自身が給油機から自車に給油を行なうことができるようにした、いわゆるセルフサービスのガソリンスタンドが多くなってきている。このようなセルフサービスのガソリンスタンドでは、例えばその事務所内に、給油機に接続されているＰＯＳ用レジスタが設置されている。利用者は、給油作業後に、ガソリンスタンドの従業員などＰＯＳ用レジスタの操作者に対して、使用した給油機を申告し、その給油機から給油した燃料種および給油量に応じた金額を支払う。あるいは、給油機またはその付近で、その給油機から給油した燃料種や給油量、金額などが給油作業後に自動で印刷されて渡され、利用者は、それを持って事務所に行き、支払いをする。
【０００４】
【特許文献１】
特許第３２７６４８３号公報
【特許文献２】
特許第３３０４７７５号公報
【０００５】
【発明が解決しようとする課題】
しかしながら、多数の給油機を設置しているセルフサービスのガソリンスタンドの場合、混雑時にはＰＯＳ用レジスタの前に支払い待ちの客が並び、さらに、その支払いが済むまでは各給油機の前に給油後の車が駐車されたままであるため給油の順番を待つ車も出てくる場合があり、ガソリンスタンドにとっては販売機会が減少することになる。そこで、利用者が、使用した給油機の所で個別に支払いを済ませられるよう、貨幣入出金機を各給油機に内蔵するようにすれば、販売機会を失うといった事態を回避することが可能になる。しかし、貨幣入出金機を給油機に内蔵しようとした場合、可能なスペースは小スペースでかつ比較的縦長であるため、従来のような横型の貨幣入出金機は、薄型化されて全体として小型化されてはいるが、給油機にそのまま適用することはできない。
【０００６】
本発明はこのような点に鑑みてなされたものであり、給油機にも内蔵させることができるような小型でかつ縦型の貨幣入出金機を提供することを目的とする。
【０００７】
【課題を解決するための手段】
本発明では上記問題を解決するために、硬貨の入出金処理を行なう硬貨部を有する貨幣入出金機において、前方位置の硬貨投入口に投入された硬貨を起立状態で搬送する硬貨搬送部と、前記硬貨搬送部を搬送される硬貨の金種を判別する硬貨検銭部と、硬貨を金種別に収納する硬貨チューブが背部方向に列置された硬貨収納部と、前記硬貨搬送部の下流で前記硬貨収納部の上方に配置され、硬貨を背部方向へ起立状態で搬送し前記硬貨検銭部での判別結果に基づいてその硬貨をいずれかの前記硬貨チューブに振り分ける硬貨振分部と、前記硬貨収納部の下方に配置されて、前記硬貨チューブに収納されている硬貨を前方位置の硬貨払出口へ搬送して出金する硬貨出金部と、を有する硬貨部を有することを特徴とする貨幣入出金機が提供される。
【０００８】
このような貨幣入出金機によれば、硬貨搬送部の背部側に硬貨チューブを背部方向に列置させた硬貨収納部が配置され、この硬貨収納部の上方および下方にそれぞれ硬貨振分部および硬貨出金部が配置される。これにより、硬貨部が、硬貨投入口に起立状態で投入された硬貨を硬貨部の上下・奥行方向に搬送し、収納し、払い出すように構成され、小型で縦型の貨幣入出金機を実現することが可能になる。
【０００９】
【発明の実施の形態】
以下、本発明の実施の形態を、給油機に内蔵される貨幣入出金機（インポンプ釣銭機）に適用した場合を例に図面を参照して詳細に説明する。
【００１０】
図１は貨幣入出金機の正面概略図、図２は貨幣入出金機の右側面概略図、図３は貨幣入出金機の左側面概略図である。
貨幣入出金機１は、図１に示すように、入金された硬貨を収納し、必要に応じて、収納した硬貨を釣銭として出金する硬貨部２と、入金された紙幣を収納し、必要に応じて、収納した紙幣を釣銭として出金する紙幣部３とを有している。この貨幣入出金機１において、紙幣部３と硬貨部２とは左右横並び配置で一体構造として構成されている。
【００１１】
まず、硬貨部２について図１および図２を参照して説明する。
硬貨部２は、正面側下部に、硬貨が１枚ずつ起立状態で投入される硬貨投入口２ａ、および釣銭硬貨または返却硬貨が払い出される硬貨払出口２ｂを有している。硬貨投入口２ａおよび硬貨払出口２ｂは、共にいずれの金種の硬貨も取り扱えるように構成されている。硬貨投入口２ａの奥には、投入された硬貨を起立状態のまま硬貨部２の上部へ搬送する硬貨搬送部１０が配置されている。さらに、硬貨部２は、硬貨搬送部１０の背部側にあって、硬貨を金種別に積層収納する上下方向に延びた硬貨チューブが硬貨部２の背面側に向かって列置された硬貨収納部２０を有している。硬貨搬送部１０の下流で硬貨収納部２０の上方には、硬貨搬送部１０を起立状態で搬送されてくる硬貨を硬貨部２の背面側に向かって搬送し、搬送途中で硬貨をその金種に該当する硬貨チューブに落下させて硬貨を金種別に振り分ける硬貨振分部３０が配置されている。硬貨収納部２０の下方には、硬貨チューブに積層収納されている硬貨を必要に応じて最下層から１枚ずつ順に払い出し、その硬貨を硬貨払出口２ｂへ搬送して出金する硬貨出金部４０が配置されている。
【００１２】
硬貨部２の前部に配置されている硬貨搬送部１０には、モータ１１を駆動源とするプーリ１２ａ，１２ｂに張架された硬貨搬送ベルト１３が設けられている。プーリ１２ａ，１２ｂ間には押圧ローラ１４ａ，１４ｂ，１４ｃ，１４ｄ，１４ｅが配置されていて、硬貨搬送ベルト１３を、これに対向して設けられているガイド１５側に押圧するようになっている。硬貨投入口２ａの奥には図示しないセンサが設けられており、このセンサで硬貨の投入が検知されるとモータ１１が駆動して硬貨搬送ベルト１３が回転し、その硬貨が、ガイド１５と硬貨搬送ベルト１３との間に挟持されて硬貨収納搬送路１６を上方へ搬送されていくようになっている。
【００１３】
この硬貨収納搬送路１６の途中には、硬貨投入口２ａに投入された硬貨の真偽および金種を判別する硬貨検銭部１７が設けられている。硬貨検銭部１７の上方には、揺動自在に設けられたリジェクトゲート１８が配置されていて、硬貨収納搬送路１６に対して進退するようになっている。リジェクトゲート１８から下方には、硬貨収納搬送路１６と並んで、硬貨を硬貨払出口２ｂへと導く硬貨返却搬送路１９が設けられている。硬貨投入口２ａに投入された硬貨が硬貨検銭部１７で真と判別された場合、その硬貨は、そのまま硬貨収納搬送路１６を上方へ搬送され、硬貨振分部３０へ送られるようになっている。一方、硬貨投入口２ａに投入された硬貨が硬貨検銭部１７で偽と判別された場合には、リジェクトゲート１８が図１中右側に揺動して硬貨収納搬送路１６に進入し、その硬貨が硬貨返却搬送路１９から硬貨払出口２ｂに返却されるようになっている。
【００１４】
硬貨搬送部１０の背部側に配置されている硬貨収納部２０には、硬貨を積層収納する硬貨チューブ２１ａ，２１ｂ，２１ｃ，２１ｄ，２１ｅ，２１ｆが硬貨部２の背面側に向かって列置されていて、それぞれ１円，１０円，１００円，５円，５０円，５００円の硬貨が収納されるようになっている。さらに、硬貨収納部２０には、最背面側に、いずれかの金種の硬貨チューブが満杯状態のときに、その硬貨チューブに収納できない硬貨を収納しておくためのオーバーフロー庫２１ｇが設けられている。
【００１５】
硬貨収納部２０には、硬貨チューブ２１ａ，２１ｂ，２１ｃ，２１ｄ，２１ｅ，２１ｆおよびオーバーフロー庫２１ｇの硬貨受入口側を塞ぐことのできる上蓋が設けられている。また、各硬貨チューブ２１ａ，２１ｂ，２１ｃ，２１ｄ，２１ｅ，２１ｆの下端には、通常は下端面内に進入していてストッパ２２が解除されたときにその下端面内から退避するようにしたコイン受け２３が設けられている。
【００１６】
この硬貨収納部２０は、収納された硬貨を回収または釣銭用に硬貨を補充する作業が行なえるよう硬貨部２本体に脱着可能に構成されている。ここで、図４は硬貨収納部の硬貨部本体への装着方法を説明する図であって、（Ａ）は装着直前、（Ｂ）は装着途中、（Ｃ）は装着後のそれぞれの状態を示す硬貨部背面側から見た断面模式図である。
【００１７】
硬貨収納部２０には、硬貨収納部２０を硬貨部２本体に装着してロックしておくためのロックレバー２４が設けられている。このロックレバー２４は、通常は図示しないばねによって付勢されて硬貨収納部２０から突出しており、硬貨収納部２０に設けられた図示しないラッチ機構を操作することにより、硬貨収納部２０内に引き下げることができるように構成されている。さらに、このロックレバー２４は、その先端部が、硬貨部２本体側に向かって下方に傾斜した形状になっている。
【００１８】
この硬貨収納部２０に設けられた上蓋２５には、その側面に溝２５ａが形成されており、この溝２５ａに硬貨収納部２０から上蓋２５側面の側に突出する突起部２６が案内されて上蓋２５がスライドするように構成されている。ロックレバー２４は、上蓋２５が閉じられているときにはこの上蓋２５を貫通して係止する係止部材として機能し、上蓋２５のスライドを防止することができるようになっている。上蓋２５が閉じられているときにラッチ機構が操作され、ロックレバー２４が硬貨収納部２０内に引き下げられると、ロックレバー２４による上蓋２５の係止が解除され、上蓋２５がスライド可能になる。
【００１９】
このような硬貨収納部２０を硬貨部２本体に装着する際には、図４（Ａ）に示したように、ラッチ機構を操作してロックレバー２４を引き下げた状態で、硬貨部２本体の装着場所に硬貨収納部２０をその下端側から嵌める。その際、上蓋２５は硬貨部２本体に衝突し、図４（Ｂ）に示すように、硬貨部２本体の外側へスライドする。硬貨収納部２０の装着後は、図４（Ｃ）に示すように、上蓋２５は、突起部２６を支点にして揺動して下方に垂れ下がり、硬貨収納部２０が開状態となる。ラッチ機構の操作をやめると、ロックレバー２４は再び上方へと移動し、これにより、硬貨収納部２０が硬貨部２本体にロックされる。このように、硬貨収納部２０は、ロックレバー２４による係止を解除しなければ上蓋２５を開けることができず、また、上蓋２５が閉状態のままでは硬貨部２本体に装着されることがないようになっている。
【００２０】
硬貨収納部２０を硬貨部２本体から取り外す際には、ラッチ機構の操作によりロックレバー２４を下方へ移動し、硬貨収納部２０をその上端側から抜き出し、上蓋２５を手動で閉じ、ラッチ機構の操作をやめてロックレバー２４で上蓋２５を係止する。これにより、上蓋２５のスライドが防止され、硬貨の入った硬貨収納部２０を運搬する際には、収納されている硬貨が硬貨受入口からこぼれ落ちるのを防止することが可能になる。
【００２１】
図１および図２に戻って、硬貨部２の上部に配置されている硬貨振分部３０は、硬貨搬送部１０を搬送されてきた硬貨を、起立状態のまま硬貨部２の背面側に向かって搬送するための硬貨振分用搬送ベルト３１を有している。この硬貨振分用搬送ベルト３１は、モータ３２を駆動源とし、これによって駆動されるローラ３３ａ，３３ｂによって回転するプーリ３４ａ，３４ｂに張架されている。プーリ３４ａ，３４ｂ間には押圧ローラ３５が配置されている。硬貨振分部３０には、硬貨チューブ２１ａ，２１ｂ，２１ｃ，２１ｄ，２１ｅ，２１ｆの直上にそれぞれ、起立状態で硬貨を搬送する通路を兼ねた振分ゲートが設けられている。硬貨は、これらの振分ゲートと硬貨振分用搬送ベルト３１との間に挟持されて搬送され、硬貨検銭部１７での判別結果に基づく所定の振分ゲートの位置で落下されて、その振分ゲート直下の硬貨チューブに収納されるようになっている。硬貨を収納すべき硬貨チューブが満杯のときには、その硬貨はオーバーフロー庫２１ｇまで送られ、そこに収納されるようになっている。
【００２２】
硬貨収納部２０の下部に配置されている硬貨出金部４０は、モータ４１を駆動源とするプーリ４２ａ，４２ｂに張架された硬貨出金用搬送ベルト４３を有している。さらに、硬貨出金部４０は、硬貨収納部２０の硬貨チューブ２１ａ，２１ｂ，２１ｃ，２１ｄ，２１ｅ，２１ｆ下端のコイン受け２３を進退させるためモータ４４を有している。硬貨出金部４０は、釣銭として必要となる金種の硬貨が収納されている硬貨チューブのストッパ２２を解除してコイン受け２３を退避させ、そこに収納されている硬貨を最終的に硬貨出金用搬送ベルト４３上に落下させるようになっている。このような落下動作は、各硬貨チューブにつき硬貨１枚ずつ順に行なわれる。硬貨出金用搬送ベルト４３上に落下した硬貨は、硬貨出金用搬送ベルト４３によって硬貨払出口２ｂに搬送される。
【００２３】
なお、この硬貨部２では、入金時のほか、搬送時、収納時、出金時においても、硬貨は適当に配置したセンサを用いてその通過や通過回数などが検知されるようになっている。
【００２４】
上記構成の硬貨部２において、硬貨投入口２ａから起立状態の硬貨の投入が検知されると、硬貨搬送ベルト１３が回転し、その硬貨は、硬貨収納搬送路１６を上方へと搬送される。その硬貨は、搬送途中で硬貨検銭部１７を通過する際、その真偽および金種が判別される。ここで、その硬貨が偽と判別された場合には、リジェクトゲート１８が硬貨収納搬送路１６に進入し、その硬貨を硬貨返却搬送路１９から硬貨払出口２ｂへ返却する。硬貨検銭部１７で硬貨が真と判別され、その金種が判別されると、その硬貨はそのまま硬貨収納搬送路１６を搬送され、硬貨振分部３０へと送られる。硬貨振分部３０に搬送された硬貨は、硬貨振分用搬送ベルト３１によって硬貨部２の背面側へと更に搬送されていき、硬貨検銭部１７での金種判別結果に基づいた振分ゲートの位置で落下され、その直下の硬貨チューブに収納される。その硬貨チューブが満杯のときには、その硬貨チューブに落下されることなく、一番奥のオーバーフロー庫２１ｇまで搬送され、そこに収納される。
【００２５】
貨幣入出金機１に入金された額の貨幣に対して釣銭硬貨が必要になった場合には、該当する硬貨チューブの下端面内からコイン受け２３を退避させ、その硬貨チューブに収納されている硬貨を最下層から順に１枚ずつ硬貨出金用搬送ベルト４３上に落下させる。落下された硬貨は、硬貨出金用搬送ベルト４３によって硬貨払出口２ｂから利用者側へ出金される。
【００２６】
このように、硬貨部２は、硬貨搬送部１０の背部に硬貨チューブ２１ａ，２１ｂ，２１ｃ，２１ｄ，２１ｅ，２１ｆおよびオーバーフロー庫２１ｇを背部方向に列置させた硬貨収納部２０を配置し、この硬貨収納部２０の上方および下方にそれぞれ硬貨振分部３０および硬貨出金部４０を配置して、正面側から起立状態で投入された硬貨を硬貨部２の上下方向あるいは奥行方向に搬送して収納し、払い出すようにしている。これにより、硬貨部２の左右横断方向の厚みを薄型化して縦型に構成された小型の硬貨部２が実現される。
【００２７】
また、貨幣入出金機１は給油機の上部に配置されるため、硬貨部２の硬貨投入口２ａおよび硬貨払出口２ｂをその下部に設けることにより、この硬貨部２は、利用者が硬貨の入出金を行ない易い構成になっている。
【００２８】
次に、紙幣部３について図１および図３を参照して説明する。
貨幣入出金機１の紙幣部３は、紙幣を、その面を紙幣部３の上下方向に向けた状態で紙幣長手方向に１枚ずつ投入され、搬送され、収納され、払い出されるように構成されている。紙幣部３には、正面側下部に、紙幣が投入される紙幣投入口３ａ、および釣銭紙幣または返却紙幣が払い出される紙幣払出口３ｂが設けられている。紙幣投入口３ａおよび紙幣払出口３ｂは、共にいずれの金種の紙幣も取り扱えるように構成されている。紙幣投入口３ａの奥には、投入された紙幣を、紙幣長手方向に紙幣部３の背面側へ搬送してから紙幣部３の上部へと搬送する紙幣搬送部５０が配置されている。さらに、紙幣部３には、紙幣搬送部５０を搬送された紙幣を金種別に積層収納するスタッカを備えた紙幣収納部６０が設けられており、また、紙幣収納部６０の下方には、釣銭紙幣または返却紙幣を紙幣払出口３ｂから出金する紙幣出金部８０が設けられている。
【００２９】
紙幣搬送部５０には、紙幣投入口３ａから紙幣部３の背面側、更に上部に向かって順に、プーリ５１ａ，５１ｂ，５１ｃ，５１ｄ，５１ｅ，５１ｆ，５１ｇが配置されている。プーリ５１ａ，５１ｂには紙幣搬送ベルト５２ａが、プーリ５１ｂ，５１ｃには紙幣搬送ベルト５２ｂが、プーリ５１ｄ，５１ｅには紙幣搬送ベルト５２ｃが、プーリ５１ｆ，５１ｇには紙幣搬送ベルト５２ｄが、それぞれ張架されている。プーリ５１ａ，５１ｂ間には、押圧ローラ５３が配置されている。プーリ５１ａ，５１ｂ，５１ｃ，５１ｄ，５１ｅ，５１ｆ，５１ｇおよび押圧ローラ５３には、それぞれ圧接ローラ５４ａ，５４ｂ，５４ｃ，５４ｄ，５４ｅ，５４ｆ，５４ｇおよび５４ｈが対向配置されている。
【００３０】
紙幣搬送ベルト５２ｂは、モータ５５によって回転され、それによって紙幣搬送ベルト５２ａが回転するようになっている。紙幣投入口３ａの奥には図示しないセンサが設けられており、このセンサで紙幣の投入が検知されるとモータ５５が駆動して紙幣搬送ベルト５２ａ，５２ｂが回転し、紙幣は、紙幣搬送路５６を搬送されていくようになっている。また、紙幣搬送ベルト５２ｃ，５２ｄは、モータ５７によって回転されるようになっている。
【００３１】
紙幣搬送路５６の途中には、搬送される紙幣の真偽および金種を判別する紙幣検銭部５８が設けられている。さらに、紙幣部３の上部へ向かう紙幣搬送路５６には、プーリ５１ｄ，５１ｅの近傍に、紙幣搬送路５６に対して進退して搬送路を切り替える切替えゲート５９ａ，５９ｂがそれぞれ配置されている。切替えゲート５９ａ，５９ｂは、通常は紙幣搬送路５６から退避している。
【００３２】
紙幣収納部６０には、紙幣搬送部５０から搬送されてくる二千円紙幣，五千円紙幣，一万円紙幣を一時的に保留する混合紙幣収納保留部６１、および紙幣搬送部５０から搬送されてくる千円紙幣を一時的に保留する千円紙幣収納保留部６２が設けられている。紙幣搬送部５０の切替えゲート５９ａ，５９ｂが共に紙幣搬送路５６から退避しているときは、紙幣は、混合紙幣収納保留部６１へ搬送されるようになっている。また、切替えゲート５９ｂのみ紙幣搬送路５６に進入しているときは、紙幣は、千円紙幣収納保留部６２へ搬送されるようになっている。混合紙幣収納保留部６１に保留された紙幣は、モータ６３を駆動源とするパンタグラフを利用したプッシャ６４によって押し出され、混合スタッカ部６５内に収納されるようになっている。千円紙幣収納保留部６２に保留された千円紙幣は、プッシャ６６によって押し出され、千円スタッカ部６７内に収納されるようになっている。
【００３３】
この千円スタッカ部６７内の千円紙幣は、釣銭紙幣として用いられる。千円スタッカ部６７の上には、そこに収納されている千円紙幣を繰り出す紙幣繰出部６８が設けられている。この紙幣繰出部６８には、モータ６９を駆動源とする複数の繰出ローラ７０、および千円スタッカ部６７の入口近傍で繰出ローラ７０に対向配置される非回転の阻止ローラ７１が配置されている。繰出ローラ７０には、高摩擦係数部材７０ａが部分的に周設されている。千円スタッカ部６７内には、パンタグラフ７２で支持された受け板７３が配置されており、千円スタッカ部６７に収納される千円紙幣はこの受け板７３上に積層される。受け板７３は、ばね力によって常に繰出ローラ７０の方向に付勢されている。
【００３４】
千円紙幣の繰出時には、繰出ローラ７０が受け板７３の方向に移動し、受け板７３上の紙幣が繰出ローラ７０に押圧されるようになる。そして、繰出ローラ７０を図３中時計回り方向に回転することにより、繰出ローラ７０に押圧されている受け板７３上の千円紙幣が順に繰り出されていくようになっている。その際、繰り出される千円紙幣が繰出ローラ７０と阻止ローラ７１との間を通過することにより、千円紙幣の重なり状態での搬送が抑制されるようになっている。繰出ローラ７０と阻止ローラ７１との間を通過した千円紙幣は、繰出ローラ７０と同期して回転するローラによって、切替えゲート５９ａ，５９ｂを共に進入させた紙幣搬送路５６へ送られ、紙幣搬送ベルト５２ｃの逆転動作によって紙幣収納時と逆方向に搬送されるようになっている。
【００３５】
さらに、紙幣収納部６０の下には、釣銭としての千円紙幣が千円スタッカ部６７から重なり状態などで繰り出されてしまった場合に、それらの千円紙幣を収納しておく出金リジェクト庫７４が設けられている。
【００３６】
紙幣出金部８０には、紙幣収納部６０の出金リジェクト庫７４の下に、プーリ５１ｄ，８１に張架された紙幣搬送ベルト８２が配置されている。この紙幣搬送ベルト８２は、モータ５７を駆動源として回転するようになっている。その下には、出金する千円紙幣を一時的に保留しておく出金紙幣保留部８３、および紙幣搬送ベルト８２で搬送されてきた紙幣を、モータ８４を駆動源とするパンタグラフを利用して出金紙幣保留部８３に押し出すプッシャ８５が配置されている。さらに、紙幣出金部８０には、出金紙幣保留部８３にある千円紙幣を紙幣払出口３ｂへ搬送する搬送ローラ８６が配置されている。搬送ローラ８６は、プーリ５１ａにベルトにより連結されて駆動される。
【００３７】
なお、この紙幣部３では、入金時のほか、搬送時、収納時、出金時においても、紙幣は適当に配置したセンサを用いてその通過や通過回数などが検知されるようになっている。
【００３８】
上記構成の紙幣部３において、紙幣投入口３ａから紙幣がその長手方向に投入されたことが検知されると、その紙幣は、紙幣搬送路５６を搬送され、紙幣検銭部５８で真偽および金種が判別される。ここで、その紙幣が偽と判別された場合には、紙幣搬送ベルト５２ａ，５２ｂを逆転動作し、その紙幣を紙幣投入口３ａから利用者側に返却する。紙幣検銭部５８で硬貨が真と判別され、その金種が判別されると、その紙幣は紙幣搬送路５６を更に搬送され、紙幣検銭部５８での金種判別結果に基づいて進退する切替えゲート５９ａ，５９ｂによってその搬送路を切り替えられる。
【００３９】
紙幣検銭部５８で判別された紙幣が二千円紙幣，五千円紙幣，一万円紙幣の場合には、切替えゲート５９ａ，５９ｂを紙幣搬送路５６から共に退避させた状態のまま、その紙幣を混合紙幣収納保留部６１へと搬送する。混合紙幣収納保留部６１に搬送された紙幣は、プッシャ６４によって混合スタッカ部６５内に押し込まれる。紙幣検銭部５８で判別された紙幣が千円紙幣の場合には、切替えゲート５９ａは紙幣搬送路５６から退避させたまま、切替えゲート５９ｂは進入させ、その紙幣を千円紙幣収納保留部６２へと搬送する。千円紙幣収納保留部６２に搬送された紙幣は、プッシャ６６によって千円スタッカ部６７内に押し込まれる。
【００４０】
貨幣入出金機１に入金された額の貨幣に対して釣銭紙幣が必要になった場合には、繰出ローラ７０を受け板７３の方向に移動して、受け板７３上の千円紙幣が繰出ローラ７０に押圧されるようにし、繰出ローラ７０を回転させ、これに接するものから順に繰り出す。その際、繰り出される千円紙幣が、繰出ローラ７０と阻止ローラ７１との間を通過することで、重なり状態での千円紙幣の繰り出しは抑制される。
【００４１】
千円スタッカ部６７から繰り出された千円紙幣は、切替えゲート５９ａ，５９ｂを共に進入させた紙幣搬送路５６を、収納時とは逆方向に搬送され、紙幣搬送ベルト８２によって紙幣出金部８０のプッシャ８５の位置まで搬送される。そして、プッシャ８５によって出金紙幣保留部８３に押し出され、釣銭として必要な枚数の千円紙幣が出金紙幣保留部８３に保留される。そして、所定枚数の千円紙幣の保留終了後に、搬送ローラ８６が回転し、これらの千円紙幣がプッシャ８５と搬送ローラ８６の間に挟持された状態で紙幣払出口３ｂへ搬送され、利用者側へ出金される。
【００４２】
千円スタッカ部６７から千円紙幣を繰り出す際に、千円紙幣が重なり状態で繰り出されてしまった場合には、それらの千円紙幣は、紙幣搬送路５６を通って紙幣搬送ベルト８２で搬送され、途中プッシャ８５によって出金紙幣保留部８３に押し出されることなく、出金リジェクト庫７４まで送られ収納される。そして、再度千円スタッカ部６７からの千円紙幣の繰出動作が行なわれる。
【００４３】
このような紙幣部３によれば、その正面側から長手方向に投入された紙幣を、紙幣部３の上下方向あるいは奥行方向に搬送して収納し、払い出すようにしているため、紙幣部３の左右横断方向の厚みを薄型化して縦型でかつ小型の紙幣部３が実現される。
【００４４】
また、貨幣入出金機１は給油機の上部に配置されるため、紙幣部３の紙幣投入口３ａおよび紙幣払出口３ｂを紙幣部３の下部に設けることにより、この紙幣部３は、利用者が紙幣の入出金を行ない易い構成になっている。
【００４５】
以上説明したような縦型の紙幣部３および硬貨部２を左右横並び配置で一体構造とすることにより、縦型で小型の貨幣入出金機１を構成することができる。このような貨幣入出金機１は、インポンプ釣銭機として給油機に好適に搭載することが可能となる。
【００４６】
なお、上記構成の硬貨部２、紙幣部３をそれぞれ硬貨入出金機、紙幣入出金機として独立に用いることも勿論可能である。さらに、上記構成の硬貨部２を上記構成の紙幣部３以外の構成の紙幣部と組み合わせることも可能であり、上記構成の紙幣部３を上記構成の硬貨部２以外の構成の硬貨部と組み合わせることも可能である。
【００４７】
【発明の効果】
以上説明したように、本発明では、硬貨搬送部の背部側に硬貨チューブを背部方向に列置させた硬貨収納部を配置し、この硬貨収納部の上方および下方にそれぞれ硬貨振分部および硬貨出金部を配置する構成にした。これにより、硬貨部を縦型に構成することができ、小型で縦型の貨幣入出金機を実現できる。
【図面の簡単な説明】
【図１】貨幣入出金機の正面概略図である。
【図２】貨幣入出金機の右側面概略図である。
【図３】貨幣入出金機の左側面概略図である。
【図４】硬貨収納部の硬貨部本体への装着方法を説明する図であって、（Ａ）は装着直前、（Ｂ）は装着途中、（Ｃ）は装着後のそれぞれの状態を示す硬貨部背面側から見た断面模式図である。
【符号の説明】
１  貨幣入出金機
２  硬貨部
２ａ  硬貨投入口
２ｂ  硬貨払出口
３  紙幣部
３ａ  紙幣投入口
３ｂ  紙幣払出口
１０  硬貨搬送部
１１，３２，４１，４４，５５，５７，６３，６９，８４  モータ
１２ａ，１２ｂ，３４ａ，３４ｂ，４２ａ，４２ｂ，５１ａ，５１ｂ，５１ｃ，５１ｄ，５１ｅ，５１ｆ，５１ｇ，８１  プーリ
１３  硬貨搬送ベルト
１４ａ，１４ｂ，１４ｃ，１４ｄ，１４ｅ，３５，５３  押圧ローラ
１５  ガイド
１６  硬貨収納搬送路
１７  硬貨検銭部
１８  リジェクトゲート
１９  硬貨返却搬送路
２０  硬貨収納部
２１ａ，２１ｂ，２１ｃ，２１ｄ，２１ｅ，２１ｆ  硬貨チューブ
２１ｇ  オーバーフロー庫
２２  ストッパ
２３  コイン受け
２４  ロックレバー
２５  上蓋
２５ａ  溝
２６  突起部
３０  硬貨振分部
３１  硬貨振分用搬送ベルト
３３ａ，３３ｂ  ローラ
４０  硬貨出金部
４３  硬貨出金用搬送ベルト
５０  紙幣搬送部
５２ａ，５２ｂ，５２ｃ，５２ｄ，８２  紙幣搬送ベルト
５４ａ，５４ｂ，５４ｃ，５４ｄ，５４ｅ，５４ｆ，５４ｇ，５４ｈ  圧接ローラ
５６  紙幣搬送路
５８  紙幣検銭部
５９ａ，５９ｂ  切替えゲート
６０  紙幣収納部
６１  混合紙幣収納保留部
６２  千円紙幣収納保留部
６４，６６，８５  プッシャ
６５  混合スタッカ部
６７  千円スタッカ部
６８  紙幣繰出部
７０  繰出ローラ
７０ａ  高摩擦係数部材
７１  阻止ローラ
７２  パンタグラフ
７３  受け板
７４  出金リジェクト庫
８０  紙幣出金部
８３  出金紙幣保留部
８６  搬送ローラ
【図１】
2004252808.tif 000003
【図２】
2004252808.tif 000004
【図３】
2004252808.tif 000005
【図４】
2004252808.tif 000006